(57)【要約】【課題】商品運搬部が作業天板上を大きく占有しない省スペースの作荷台を提供すること。【解決手段】床面に沿って延び、床面上に間隔を隔てて設置される複数本のベース脚６と、それぞれのベース脚６から上方に延びる中空筒状の支柱２と、これら支柱２同士を連結する横架材７，８と、を備え、支柱２は、係止孔２ａが穿設されており、後端に係止孔２ａに係着される鉤状のフック部１０ａを有するブラケット１０により作業天板９が支柱２に対して支持されている。【選択図】図２
2015167636.tif 000002
【特許請求の範囲】
【請求項１】
床面に沿って延び、前記床面上に間隔を隔てて設置される複数本のベース脚と、それぞれの前記ベース脚から上方に延びる中空筒状の支柱と、これら支柱同士を連結する横架材と、を備え、
前記支柱は、係止孔が穿設されており、後端に前記係止孔に係着される鉤状のフック部を有するブラケットにより作業天板が支柱に対して支持されていることを特徴とする作荷台。
【請求項２】
前記支柱には上下方向に係止孔が複数列設されており、前記作業天板は、後端に前記係止孔に係着される鉤状のフック部を有するブラケットにより支柱に対して支持されていることを特徴とする請求項１に記載の作荷台。
【請求項３】
前記支柱には、後端に前記係止孔に係着される鉤状のフック部を有するブラケットにより棚部材が支持されていることを特徴とする請求項１または２に記載の作荷台。
【発明の詳細な説明】
【技術分野】
【０００１】
本発明は、スーパーマーケット等の店舗に設置される作荷台に関する。
【背景技術】
【０００２】
スーパーマーケット等の店舗には、客がレジにて精算済みの商品を買い物カゴからレジ袋等に袋詰めする際に使用する作荷台が設置されている。従来の作荷台は、側板により形成された筐体の上に作業板が支持されている（例えば、特許文献１参照）。
【０００３】
一般にスーパーマーケット等の店舗では、買い物カゴはカートに載せて運搬される場合が多く、このようなカートは、下部の前後左右に車輪を有するキャスター部を、上部に買い物カゴを載置する載置部を有している。客は作荷台近傍まで移動させたカートの載置部から買い物カゴを作荷台の作業板上に移載させて袋詰めを行うようになっているが、商品が収容されて重くなった買い物カゴを載置部から作業板上へ移載する作業は大変煩雑であり、特にお年寄りには身体的な負担が大きい。そのため、作業板上への買い物カゴの移載作業を簡単に行うことのできる作荷台が要望されていた。そこで、左右側板と背板と作業板とにより形成された筐体の正面に空間を形成し、作業板をカートにおける載置部より低く設定することで、カートを側板間に形成される前記空間内に進入させ、カートの載置部及び買い物カゴを作業板上まで移動させることができるようにした作荷台が開発されている。
【先行技術文献】
【特許文献】
【０００４】
【特許文献１】特開２００５−３０１００６号公報（第４頁、第１図）
【発明の概要】
【発明が解決しようとする課題】
【０００５】
しかしながら、このような従来の作荷台は、左右側板と背板により形成された筐体の上に作業板が支持された構造となっているため、カートを前記空間内に進入させた場合、カートの載置部及び買い物カゴ（商品運搬部）が作業板上を大きく占有することになる。そのため、作業板上における袋詰め作業に要する作業スペースを確保するには、大きな作業板が必要となるという問題があった。
【０００６】
本発明は、このような問題点に着目してなされたもので、商品運搬部が作業板上を大きく占有しない省スペースの作荷台を提供することを目的とする。
【課題を解決するための手段】
【０００７】
前記課題を解決するために、本発明の作荷台は、
床面に沿って延び、前記床面上に間隔を隔てて設置される複数本のベース脚と、それぞれの前記ベース脚から上方に延びる中空筒状の支柱と、これら支柱同士を連結する横架材と、を備え、
前記支柱は、係止孔が穿設されており、後端に前記係止孔に係着される鉤状のフック部を有するブラケットにより作業板が支柱に対して支持されていることを特徴としている。
この特徴によれば、作業板がブラケットにより支柱に対して片持ち状態で支持されることになり、作荷台を構成する側板が不要となり、ベース脚を跨いでカートを進入配置でき、作業板上における商品運搬部が占める面積を小さくできる。そのため、商品運搬部が作業板上を大きく占有せず、作業板上においてより広い袋詰め作業スペースを確保できることになる。
【０００８】
前記支柱には上下方向に係止孔が複数列設されており、前記作業板は、後端に前記係止孔に係着される鉤状のフック部を有するブラケットにより支柱に対して支持されていることを特徴としている。
この特徴によれば、カートにおけるキャスター部から商品収容部の下端までの高さに応じて作業板の高さを適宜調節することができ、汎用性が高い。
【０００９】
前記支柱には、後端に前記係止孔に係着される鉤状のフック部を有するブラケットにより棚部材が支持されていることを特徴としている。
この特徴によれば、カートの形状や作荷台の周辺環境に応じて作荷台に必要な備品等を載置もしくは収納させる棚部材を好適な場所に配置させることができる。
【図面の簡単な説明】
【００１０】
【図１】実施例における作荷台を示す斜視図である。
【図２】作荷台の構造を示す分解斜視図である。
【図３】ショッピングカートを前後方向から作荷台に押し込んだ状態を示す側面図である。
【図４】ショッピングカートがベース脚を跨いで配置された状態を示す上面図である。
【図５】ショッピングカートを左右方向から作荷台に押し込んだ状態を示す正面図である。
【図６】下方台車部にバスケットを載置した状態のショッピングカートを左右方向から作荷台に押し込んだ状態を示す正面図である。
【図７】作荷台の変形例を示す斜視図である。
【発明を実施するための形態】
【００１１】
本発明に係る作荷台を実施するための形態を実施例に基づいて以下に説明する。
【実施例】
【００１２】
実施例に係る作荷台につき、図１から図７を参照して説明する。以下、図１の画面左下側を作荷台の正面側（前方側）とし、作荷台の正面視左右側を作荷台の左右側として説明する。
【００１３】
図１に示されるように、本実施例の作荷台１は、スーパーマーケット等の店舗で商品の代金精算後に、購入した商品を袋詰めする際に用いられるものであり、一般的にレジカウンターよりも出口に近い場所に複数並列して配置されている。尚、本実施例では、その内の１つの作荷台１を例に取り説明する。
【００１４】
図１及び図２に示されるように、作荷台１は、左右に離間した中空筒状の支柱２，２と、支柱２，２の前面側に取付けられる作業板９と、作業板９よりも下方に配置される下方棚部３と、作業板９よりも上部に配置される上方棚部４と、から主に構成されている。
【００１５】
支柱２の下端部には、前方側に延びる脚部６ａ及び上方側に延びる図示しない挿入部を有する略Ｌ字形状のベース脚６が、前記挿入部を支柱２の下端部に挿入嵌合することで組み付けられており、前方方向への転倒が防止されている。尚、このベース脚６は、Ｌ字形状に限られず、前後に延びる脚部及び上方側に延びる挿入部を有するＴ字形状に形成され前後方向の転倒が防止されていてもよい。
【００１６】
また、支柱２の前面には、上下に複数の係止孔２ａ，２ａ，…が形成されている。この支柱２，２は、左右方向に所定間隔離間して配置されており、支柱２，２は、その上端部及び下端部に上部横架材７及び下部横架材８が架設され、図示しない固定手段により支柱２，２と上部横架材７及び下部横架材８とが固定されて一体に連結され、強度が高められている。
【００１７】
作業板９は、木材から成り、ブラケット１０，１０により左右の支柱２，２に取付けられる。より詳しくは、このブラケット１０の後端には、支柱２の係止孔２ａ，２ａ，…に係止可能な鉤状のフック１０ａ，１０ａ，…が形成されている。左右のブラケット１０，１０は、当該ブラケット１０，１０同士が同じ高さとなるように、左右の支柱２，２の適宜選択された係止孔２ａ，２ａ，…にフック１０ａ，１０ａ，…を係止されて配置される。また、作業板９は、左右の支柱２，２の離間幅と略同一の左右幅を有しているとともに、後述するショッピングカート２０のバスケット載置部２５の前後幅よりも大きな前後幅を有している。また、作業板９の外周縁には、ゴムなどの弾性体１１が固着されている。この作業板９は、左右同じ高さに配置されたブラケット１０，１０の上に載置され、図示しないボルトなどにより連結されて水平な状態で固定される。
【００１８】
上方棚部４は、金属製の薄板から成る載置天板１２（棚部材）と、短尺ブラケット１３，１３と、を備える。この短尺ブラケット１３は、後端に鉤状のフック１３ａ，１３ａ，…が形成されている。短尺ブラケット１３，１３は、当該短尺ブラケット１３，１３同士が同じ高さとなるように、左右の支柱２，２の適宜選択された係止孔２ａ，２ａ，…にフック１３ａ，１３ａ，…を係止されて配置される。この短尺ブラケット１３，１３は、作業板９よりも上方に離間した位置に配置される。また、載置天板１２は、左右の支柱２，２の離間幅と略同一の左右幅を有しているとともに、作業板９よりも短い前後幅を有している。この載置天板１２は、左右同じ高さに配置された短尺ブラケット１３，１３の上に載置され、図示しないボルトなどにより連結されて水平な状態で固定される。
【００１９】
支柱２，２に対して固定された作業板９と載置天板１２との間には、上方空間部１４が形成されている。この上方空間部１４は、買い物客が購入した商品の袋詰めを行う作業スペースとなっている。また、載置天板１２は、ポリ袋ホルダー１５や図示しないパンフレットケース等の備品の載置スペースとなっている。
【００２０】
また上述のように、載置天板１２は、作業板９よりも短い前後幅を有しているため、作業板９及び載置天板１２が支柱２，２に取付けられた状態にあっては、作業板９の前端９ａが載置天板１２の前端１２ａよりも前方に張り出した状態となっている。
【００２１】
下方棚部３は、棚板１６及びストッカー１７から成る備品などを収容するための棚部材と、長尺ブラケット２６，２６と、を備える。長尺ブラケット２６，２６は、当該長尺ブラケット２６，２６同士が同じ高さとなるように、左右の支柱２，２の適宜選択された係止孔２ａ，２ａ，…にフック２６ａ，２６ａ，…を係止されて配置される。この長尺ブラケット２６，２６は、作業板９よりも下方の位置であり、床面から所定高さ上方に離間した位置に配置される。棚板１６は、左右同じ高さに配置された長尺ブラケット２６，２６の上に載置され、図示しないボルトなどにより連結されて水平な状態で固定されるとともに、この棚板１６には、前記ストッカー１７が図示しないボルトなどで固定されている。このストッカー１７は、前方に開口する筐体１７ａと、筐体１７ａの開口側にスライド可能に取付けられた引き戸１７ｂ，１７ｂを有し、引き戸１７ｂを左右にスライドさせ、筐体１７ａの開口からストッカー１７の内部に備品を出し入れできるようになっている。
【００２２】
上述のように、棚板１６を支持する長尺ブラケット２６，２６は、床面から所定高さ上方に離間した位置に配置されるため、棚板１６と床面との間には、下方空間部１８が形成される。この下方空間部１８は、支柱２とベース脚６とが側面視Ｌ字形状に接続されているため、左右方向に開放された状態となっている。
【００２３】
図３に示されるように、買い物客が利用するショッピングカート２０は、車輪２１，２１，…（キャスター部）を備えた下方台車部２２と、下方台車部２２の後端から上方に延びる支柱２３，２３と、支柱２３，２３の上端を繋ぐ把持部２４と、支柱２３，２３における所定の高さ位置に設けられるバスケット載置部２５と、から主に構成されており、バスケット載置部２５及び下方台車部２２にそれぞれバスケット１９を搭載できるようになっている。本実施例では、商品が入ったバスケット１９と、当該バスケット１９が載置されたバスケット載置部２５とが、商品を運搬する商品運搬部として機能している。尚、バスケットとバスケット載置部とが、一体形成されたショッピングカートである場合には、前記一体形成された部位を商品運搬部としてもよい。
【００２４】
図３に示されるように、作荷台１は、作業板９の上面がショッピングカート２０のバスケット載置部２５の下端の高さ位置よりも低く設定されており、作荷台１の上方空間部１４は、バスケット１９を搭載したバスケット載置部２５よりも大きな上下幅を有している。また、作荷台１の下方空間部１８は、ショッピングカート２０の下方台車部２２よりも大きな上下幅を有している。即ち、買い物客は、ショッピングカート２０を作荷台１に押し込むことで、ショッピングカート２０の下方台車部２２を作荷台１の下方空間部１８に配置し、ショッピングカート２０のバスケット載置部２５を作荷台１の上方空間部１４に配置することができる。また、ショッピングカート２０を作荷台１に押し込んだ際には、作業板９の外周縁に固着された弾性体１１により、作荷台１とショッピングカート２０との当接が緩衝され、作荷台１またはショッピングカート２０の損傷を防止できる。
【００２５】
このようにショッピングカート２０を作荷台１に押し込むことで、ショッピングカート２０の下方台車部２２を作荷台１の下方空間部１８に配置し、ショッピングカート２０のバスケット載置部２５を作荷台１の上方空間部１４に配置することができるため、買い物客は、ショッピングカート２０からバスケット１９を降ろすことなく購入した商品の袋詰め作業を行うことができるばかりか、ショッピングカート２０からバスケット１９を作業板９上に降ろす場合においても、バスケット載置部２５が作業板９に近づいているため、バスケット１９を作業板９上に降ろしやすくなっている。
【００２６】
さらに、購入した商品の袋詰め作業中には、ショッピングカート２０が作荷台１に押し込まれているため、作荷台１近傍の通路がショッピングカート２０により塞がれることを抑えることができ、レジカウンターから出口への導線を確保することができる。また、バスケット１９及びバスケット載置部２５が、平面視で作業板９と重なるようになるため、作業板９とバスケット１９及びバスケット載置部２５との距離が近くなり、袋詰め作業を行い易いばかりか、作業板９とバスケット１９及びバスケット載置部２５との間に隙間が形成されず、商品が床面に落下することを防止できる。
【００２７】
以上説明したように作荷台１は、作業板９がブラケット１０，１０によりベース脚６から上方に延びる支柱２に対して片持ち状態で支持され、下方空間部１８は、左右方向に開放されているため、図３及び図４に示されるように、ショッピングカート２０の下方台車部２２の左右の車輪２１，２１が、支柱２のベース脚６を跨いで配置することができる。そのため、作業板９上におけるバスケット載置部２５が占める面積を小さくでき、バスケット１９が作業板９上を大きく占有せず、作業板９上においてより広い袋詰め作業スペースを確保できることになる。特に混雑時には、より多くの買い物客が作荷台１を同時に利用することができる。
【００２８】
また、図５に示されるように、作荷台１の左右方向からショッピングカート２０を押し込み、ショッピングカート２０の下方台車部２２の前後の車輪２１，２１が、支柱２のベース脚６を跨いで配置してもよい。このように作荷台１の左右方向からショッピングカート２０を押し込むことにより、ショッピングカート２０の把持部２４側が、作荷台１の正面側に立つ利用者と異なる方向を向くため、ショッピングカート２０が利用者の袋詰め作業の邪魔にならず、袋詰め作業を行い易い。
【００２９】
また、図６に示されるように、ショッピングカート２０の下方台車部２２にバスケット１９を載置した状態であっても、前記バスケット１９をショッピングカート２０の把持部２４側にずらして作荷台１の左右方向からショッピングカート２０を押し込むことにより、商品運搬部であるバスケット１９及びバスケット載置部２５の一部と作業板９とを上下に重ねることができる。このように、商品運搬部であるバスケット１９及びバスケット載置部２５が作業板９と上下に重なった部位を有していれば、作業板９とバスケット１９及びバスケット載置部２５とが近くなり隙間がなくなるため、上述した効果を発揮することができる。
【００３０】
さらに、作荷台１からショッピングカート２０を引き出すことなく、下方台車部２２に載置されたバスケット１９に対して前後方向からアクセス可能となるため、下方台車部２２に載置されたバスケット１９を下方台車部２２から作業板９上に移動させることなく、前記バスケット１９内の商品を直接袋詰めすることができる。尚、下方台車部２２に載置されたバスケット１９を、作業板９上またはバスケット載置部２５に移動させた後、前記バスケット１９内の商品の袋詰め作業を行ってもよい。
【００３１】
また、ブラケット１０，１０、短尺ブラケット１３，１３及び長尺ブラケット２６，２６は、フック１０ａ，１０ａ，…及びフック１３ａ，１３ａ，…及びフック２６ａ，２６ａ，…を有し、支柱２は、複数の係止孔２ａ，２ａ，…を有しており、適宜選択した係止孔２ａにフック１０ａ，フック１３ａ及びフック２６ａを係止させることにより、作業板９、載置天板１２、及び棚板１６の高さをそれぞれ任意で高さ調整を容易に行うことができる。つまり、作業板９の高さをショッピングカート２０の車輪２１，２１，…からバスケット載置部２５の下端までの高さに応じて適宜調節できる。そのため、作業板９、載置天板１２、及び棚板１６の高さ調整を行えば、既存のショッピングカートに対して適用することができるようになり、汎用性が高い。また、左右幅の異なる作業板９、載置天板１２、及び棚板１６を用意すれば、作荷台自体の横幅を適宜設定できる。
【００３２】
また、上方棚部４を設け、載置天板１２の上にポリ袋ホルダー１５やパンフレットケース等の備品を配置できるため、作業板９の上面全体を作業スペースとして利用でき、購入商品の袋詰め作業を快適に行うことができる。
【００３３】
また、作業板９は、左右の支柱２，２の離間幅と略同一の左右幅であるため、作業板９の左右方向中央部に支柱２のベース脚６が配置されることがなく、作荷台１に押し込まれた状態のショッピングカート２０を左右に移動させた場合、ショッピングカート２０の車輪２１，２１，…と支柱２のベース脚６とが干渉することを避けることができ、作荷台１に対するショッピングカート２０の出し入れをスムーズに行うことができる。
【００３４】
また、作業板９及び載置天板１２が支柱２，２に取付けられた状態にあっては、作業板９の前端９ａが載置天板１２の前端１２ａよりも前方に張り出した状態となっているため、載置天板１２が購入商品の袋詰め作業の邪魔にならない。また、載置天板１２により作業板９の上面に影が生じ難くなっているため、買い物客にとって使い勝手がよい。
【００３５】
また載置天板１２は、金属製の薄板から成るため、安価に且つ壊れにくく設けることができる。また、作業板９は、木材から成るため、買い物客が袋詰め作業中に商品を落下させても、商品が作業板９に当たる衝撃音を抑えることができる。
【００３６】
尚、前記実施例の下方棚部３は、オプションの一つであり、下方棚部３の部分は適宜変更設定できる。例えば、図示しないが、棚板１６の上にストッカー１７に替えてゴミ箱やその他の備品などを設置してもよい。
【００３７】
また、前記実施例では、載置天板１２と、棚板１６及びストッカー１７と、を棚部材として説明したが、例えば、片側の支柱２にのみ取付けられるブラケットに対して支持されるものであってもよく、両側の支柱２，２に取付けられる短尺ブラケット１３，１３または長尺ブラケット２６，２６に渡って設けられるものに限られず、様々な態様に設計できる。
【００３８】
また、図７に示されるように、上記した下方棚部３を設けることなく作業板９及び上方棚部４のみを設けた作荷台１’を適用してもよい。これによれば、図７の手前側のショッピングカート２０のように、下方台車部２２にバスケット１９を載置した状態であっても、当該ショッピングカート２０を作荷台１’に押し込むことができるようになる。そのため、混雑時以外では、ショッピングカート２０が作荷台１’から張り出す範囲を小さくして利用することが可能となっている。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、前記実施例では、作荷台１がレジカウンターよりも出口に近い場所に複数並列して配置されている態様について説明したが、これに限られず、単体の作荷台１が配置されていてもよい。また、作荷台１は、前面側にのみ作業板９、載置天板１２、及び棚板１６が設けられていたが、支柱２，２の後面側にも係止孔２ａ，２ａ，…を複数設け、作荷台１の前面側にも作業板９、載置天板１２、及び棚板１６をそれぞれ設けてもよい。
【００４１】
また、前記実施例では、横架材を上部横架材７及び下部横架材８として説明したが、これに限られず、例えば、支柱２，２同士を連結する背板であってもよい。
【００４２】
また、支柱２には、複数の係止孔２ａ，２ａ，…が設けられていたが、例えば、作業板９、載置天板１２、及び棚板１６を取付ける所定の高さ位置にのみ係止孔を設け、ブラケットを係止させるようになっていてもよい。
【００４３】
また、作業板９は、木製の平板として説明したが、必ずしもこれに限らず、例えば、金属製や樹脂製であってもよい。尚、同じく載置天板１２は、金属製の薄板に限られず、木製や樹脂製であっても構わない。また、下部にストッカー等が固定された作業板を用いても構わない。
【００４４】
また前記実施例では、互いに異なる３種の規格のブラケット１０、短尺ブラケット１３及び長尺ブラケット２６が用いられているが、これ等のブラケットのうち全部または一部を同一の規格としてもよい。
【符号の説明】
【００４５】
１，１’          作荷台
２ａ              係止孔
２                支柱
６                ベース脚
７                上部横架材
８                下部横架材
９                作業板
１０              ブラケット
１０ａ            フック
１２              載置天板（棚部材）
１３              短尺ブラケット（ブラケット）
１３ａ            フック
１４              上方空間部
１６              棚板（棚部材）
１７              ストッカー（棚部材）
１８              下方空間部
１９              バスケット（商品運搬部）
２０              ショッピングカート
２１              車輪（キャスター部）
２２              下方台車部
２５              バスケット載置部（商品運搬部）
２６              長尺ブラケット（ブラケット）
【図１】
2015167636.tif 000003
【図２】
2015167636.tif 000004
【図３】
2015167636.tif 000005
【図４】
2015167636.tif 000006
【図５】
2015167636.tif 000007
【図６】
2015167636.tif 000008
【図７】
2015167636.tif 000009